(57)【要約】【課題】作業スペースを広くすることができ、また、安価に作製することができるエレベータのかご上手摺を得る。【解決手段】上梁３上にかごガイド装置２０を有するエレベータのかごに装着されるかご上手摺３０であって、かご室６の両側部に垂直に配設された両縦枠２の上端部間に架設された上梁３とかご室６との間に設けられた手摺横枠３１，３２を有する。手摺横枠は、上梁の仮下面に固定されている。あるいは、縦枠の側面に固定されている。【選択図】        図３
2004217402.tif 000002
【特許請求の範囲】
【請求項１】
上梁上にかごガイド装置を有するエレベータのかごに装着されるかご上手摺であって、
かご室の両側部に垂直に配設された両縦枠の上端部間に架設された前記上梁と前記かご室との間に設けられた手摺横枠を有することを特徴とするエレベータのかご上手摺。
【請求項２】
前記手摺横枠は、前記上梁の下面に固定されていることを特徴とする請求項１に記載のエレベータのかご上手摺。
【請求項３】
前記手摺横枠は、前記縦枠の側面に固定されていることを特徴とする請求項１に記載のエレベータのかご上手摺。
【請求項４】
前記手摺横枠は、上下方向に複数本並設されていることを特徴とする請求項３に記載のエレベータのかご上手摺。
【請求項５】
前記手摺横枠から垂直方向に広がる包囲板をさらに有することを特徴とする請求項１から４のいずれかに記載のエレベータのかご上手摺。
【発明の詳細な説明】
【０００１】
【発明の属する技術分野】
この本発明は、エレベータのかごの上部に設けられるエレベータのかご上手摺に関するものである。
【０００２】
【従来の技術】
エレベータのかごの上部には、エレベータの調整運転，故障時の修理，保守点検等の際に作業員が乗り、またはエレベータの故障時乗客の救出の際に救出者や放出された乗客が乗るので、これらの作業者、救出者及び救出された乗客の安全を確保する目的で、かご上手摺が装着されている。そして、このかご上手摺の装着に関しては、法令でも義務づけられているものである。
【０００３】
エレベータのかごは、一般に、かごの左右に垂直方向に設けられた２本の縦枠と、この縦枠の上端部間に架設された上梁と、縦枠の下端部間に架設された下梁で矩形状に構成されたかご枠と、このかご枠に固定支持されたかご床と、このかご床上に載置されたかご室を有し、上梁の上面にかご上手摺が設けられている（例えば、特許文献１参照）。
【０００４】
かご上手摺は、上述のように、一般にエレベータのかご枠の上梁の上面に取付けられる。しかし、上梁の上面の両端には、ガイドシュー或いはガイドローラ等のかごガイド装置も存在している。そのため、このガイド装置を避ける目的で、かご上手摺は、従来、かごの中央寄りに取付けられていた。そのため、特にかご天井面積の小さいかごにおいては、手摺で囲まれた空間が狭くなってしまうので問題であった。そして、このように狭い空間を囲う手摺においては、人をガードする手摺本来の使い方ではなく、手をかける取っ手のような使い方となってしまうこともあった。
【０００５】
【特許文献１】
特許第２８９９４６９号公報
【０００６】
【発明が解決しようとする課題】
このような構成の従来のエレベータのかご上手摺においては、かご上手摺は、上梁の上面に取り付けられるが、上梁の両端にはかごをレールに沿って案内するガイド装置が取付けられるため、かご上手摺をガイド装置を避けて取付けなければならず、手摺がかごの内側に寄り、保守時のかご上での作業スペースに制約を与え作業性が悪くなるので問題であった。また、手摺をかごの外縁付近まで大きくするには、上梁の上面からガイド装置を避けて外方へ延びる複雑で且つ強度の高い支持部材を設けなければならず、コストの高くなるので問題であった。
【０００７】
さらに、手摺を上梁に取り付ける構造においては、縦枠の長さが長くなりかご室上面と上梁との間隔が大きくなった場合に、手摺下部とかご室上面との間に形成される隙間が大きくなり、かご上での保守作業中に体の一部が手摺を潜り抜けてしまう恐れがあった。また、この構造によると、手摺の高さはかご室と上梁の位置により決まってしまい、手摺の位置によってはかご上から昇降路機器の保守作業が行いづらいものとなっていた。
【０００８】
この発明は、上述のような課題を解決するためになされたもので、かご上手摺によって囲われる作業スペースを広くすることができ、また、手摺の高さを自由に設定することができ、さらに、安価に作製することができるエレベータのかご上手摺を得ることを目的とする。
【０００９】
【課題を解決するための手段】
この発明に係るエレベータのかご上手摺は、上梁上にかごガイド装置を有するエレベータのかごに装着されるかご上手摺であって、かご室の両側部に垂直に配設された両縦枠の上端部間に架設された上梁とかご室との間に設けられた手摺横枠を有する。
【００１０】
【発明の実施の形態】
実施の形態１．
図１はこの発明の実施の形態１のエレベータのかご上手摺をかご枠に装着した状態を示す側面図である。図２はこの発明の実施の形態１のエレベータのかご上手摺の詳細を示す平面図である。図３はこの発明の実施の形態１のエレベータのかご上手摺の詳細を示す側面図である。図４は図２のかごガイド装置近傍の拡大図である。図５は図３のかごガイド装置近傍の拡大図である。図６はかごガイド装置の案内部材と支持部材の正面図である。
【００１１】
図１において、かご枠１は、機械室に設置された巻上機にロープ（何れも図示しない）を介して懸吊され、左右に垂直に配置された縦枠２と、この縦枠２の上端部間に架設された２本の上梁３と、縦枠２の下端部間に架設された２本の下梁４で矩形状に構成されている。このかご枠１に固定支持されたかご床５を介してかご室６が載置されている。かご室６の正面には、かごの戸８と、このかごの戸８を駆動する戸閉駆動装置９が配設されている。そして、上梁３の上面に、従来と同じようにかごガイド装置２０が設けられている。一方、上梁３の下面にこの発明のかご上手摺３０が取り付けられている。
【００１２】
図３及び図５によく示されるように、２本の上梁３は、それぞれ断面Ｃ字型で棒状をなし、Ｃ字型の背面を断面コ字型の縦枠２の側面に当接させて、２本の上梁３で縦枠２を挟むようにして縦枠２の両側部に配置され、Ｃ字型の底面を貫通するボルト１１にて縦枠２に締着されている。縦枠２の下端部間に架設された２本の下梁４も上梁３と同様な形状をなし、図示しないボルトにて同じように縦枠２に締着されている。
【００１３】
かごガイド装置２０は、以下の部材から構成されている。すなわち、２本の上梁３の上面間に架け渡されてボルト２５にて上梁３に締着されたガイド装置取付板２１と、このガイド装置取付板２１の上面にボルト２２にて締着された支持部材２３と、支持部材２３に固定された案内部材２４とから構成されている。
【００１４】
図６によく示されるように、支持部材２３は、ボルト２２にて締着される平板状の基部２３ａと、基部２３ａの端部から断面Ｌ字型に立ち上がる立ち上がり部２３ｂと、基部２３ａと立ち上がり部２３ｂとの間に設けられ立ち上がり部２３ｂを補強するリブ２３ｃとから構成されている。また、案内部材２４は、かご室６の昇降方向に沿って延びる断面略コ字型をなし、図示しない案内レールに係合する案内溝２４ａが形成されている。
【００１５】
かご上手摺３０は、上梁３の両端部の下面に、それぞれ固定された第１の手摺横枠３１と、２本の第１の手摺横枠３１の片側の端部間に接続された第２の手摺横枠３２とを有し、ほぼコの字状に組まれて構成されている。第１の手摺横枠３１は、断面Ｌ字型をなし、上梁３の下部を上梁３と直交するように延び、中央部を上梁３に固定されて設けられている。さらに詳細には、第１の手摺横枠３１は、片側の側面を縦枠２の背面に当接させ、片側の側面を上梁３の下面に当接させて、ボルト３３にて、上梁３に締着されている。また、第２の手摺横枠３２は、同じく断面Ｌ字型をなし、第１の手摺横枠３１の片側の端部間に架け渡されてボルト３４で締着されている。
【００１６】
図７は、本実施の形態と比較するために記載する、従来のかご上手摺を示す平面図である。図８は従来のかご上手摺を示す側面図である。図７及び図８に示されるように、従来のかご上手摺９０は、上梁３の上面の両端部に設けられたかごガイド装置２０をさけて、上梁３の上面に取り付けられている。そして、それぞれボルト９３で締着された２本の第１の手摺横枠９１と、２本の第１の手摺横枠９１の片側の端部間にボルト９４にて接続された第２の手摺横枠９２とを有し、ほぼコの字状に組まれて構成されている。そして、従来のかご上手摺９０は、上梁３の上面に両端部に設けられたかごガイド装置２０をさけて、設けられているので、２本の第１の手摺横枠９１の間隔が狭く、そのため、作業スペースを狭くしていた。
【００１７】
本実施の形態のかご上手摺３０においては、かご室６の両側部に垂直に配設された両縦枠２の上端部間に架設された上梁３とかご室３との間に設けられた第１の手摺横枠３１を有する。そのため、かごガイド装置２０の存在に影響されずに、２本の第１の手摺横枠３１をかご室６の外縁付近に近づけて取り付けることができ、２本の第１の手摺横枠３１の間隔を広げることができ、作業スペースが拡張するので、作業者の保守作業性が向上する。
【００１８】
また、第１の手摺横枠３１は、上梁３の下面にボルト３３にて固定されている。そのため、２本の第１の手摺横枠３１を、かご室６の外縁付近に近づけて、比較的容易な方法によって取り付けることができる。そして、従来提案されたようなガイド装置２０を避けた特殊な構造の支持部材を必要とすることがないので、コストダウンを図ることができる。
【００１９】
実施の形態２．
図９はこの発明の実施の形態２のエレベータのかご上手摺を示す要部側面図である。本実施の形態のかご上手摺４０は、上梁３とかご室３との間で、縦枠２の内側の側面に、それぞれボルト４３で締着された２本の第１の手摺横枠４１と、２本の第１の手摺横枠４１の片側の端部間にボルト４４にて接続された第２の手摺横枠４２とを有し、ほぼコの字状に組まれて構成されている。
【００２０】
すなわち、本実施の形態のかご上手摺４０においては、第１の手摺横枠４１は、縦枠２の側面に固定されている。そのため、第１の手摺横枠４１の固定位置を、上梁３の位置に依存することなく自由に選択することができ、設計の自由度が広がるとともに、かご上手摺４０の取り付け位置を保守作業性を妨げない位置に設定することができる。
【００２１】
実施の形態３．
図１０はこの発明の実施の形態３のエレベータのかご上手摺を示す要部側面図である。本実施の形態のかご上手摺５０は、実施の形態１のかご上手摺の構成に加えて、該かご上手摺より所定の高さ下がった位置に、縦枠２の内側の側面に、それぞれボルト４３で締着され、第１の手摺横枠３１に対して平行に延びる２本の第１の手摺横枠４１と、２本の第１の手摺横枠４１の片側の端部間にボルト４４にて接続された第２の手摺横枠４２からなる、ほぼコの字状に組まれた手摺をさらに有している。
【００２２】
すなわち、本実施の形態のかご上手摺５０は、上下方向に２本並設された第１の手摺横枠３１，４１を有している。そのため、かご上手摺５０とかご室６の上面との間隔を小さくでき、かご上作業者の作業性をさらに向上させる。
尚、本実施の形態においては、手摺は上下方向に２段設けられているが、２段以上あってもよい。
【００２３】
実施の形態４．
図１１はこの発明の実施の形態４のエレベータのかご上手摺を示す要部側面図である。本実施の形態のかご上手摺６０は、実施の形態２のかご上手摺の構成に加えて、該かご上手摺より所定の高さ下がった位置に、縦枠２の内側の側面に、それぞれボルト５３で締着された２本の第１の手摺横枠５１と、２本の第１の手摺横枠５１の片側の端部間にボルト５４にて接続された第２の手摺横枠５２からなる、ほぼコの字状に組まれた手摺をさらに有している。そのため、実施の形態３と同様な効果を得ることができる。
【００２４】
実施の形態５．
図１２はこの発明の実施の形態５のエレベータのかご上手摺を示す平面図である。図１３はこの発明の実施の形態５のエレベータのかご上手摺を示す側面図である。本実施の形態のかご上手摺７０は、実施の形態４のかご上手摺の構成に加えて、上下方向に２段に設けられた手摺４１，５１間に垂直方向に架け渡されてボルト７２で締結された、複数本の手摺縦枠７１を有している。複数本の手摺縦枠７１は、第１の手摺横枠４１，５１の長手方向にほぼ等間隔に設けられている。そのため、手摺に加わる荷重を上下の手摺で受け持つことができ、小さいサイズで強固な手摺の構成が可能となる。
【００２５】
実施の形態６．
図１４はこの発明の実施の形態６のエレベータのかご上手摺を示す平面図である。図１５はこの発明の実施の形態６のエレベータのかご上手摺を示す側面図である。本実施の形態のかご上手摺８０は、実施の形態５のかご上手摺の構成に加えて、作業スペースを囲む包囲板８１が設けられている。包囲板８１は、第１の手摺横枠４１，５１、第２の手摺横枠４２，５２、及び手摺縦枠７１からなる枠組みに、各々の矩形の枠組みに囲まれた空間を塞ぐように、ボルト７２で締着されている。
【００２６】
すなわち、本実施の形態のかご上手摺８０は、第１の手摺横枠４１，５１、及び第２の手摺横枠４２，５２から垂直方向に広がる包囲板８１をさらに有する。そのため、手摺８０の内側から外側への物体の進行を妨げることができ、例えば、かご室６上の作業者がかごが動いている時に誤って手摺８０の隙間から身体の一部をかごの外に飛び出して昇降路の機器等に接触したり挟まれたりするのを防止できる。
尚、本実施の形態の包囲板８１は、各手摺枠で囲まれる部分を塞ぐものであるが、これに限らず手摺から上下、左右に延びてかご上の空間をさらに塞ぐようにそれぞれ伸展されてもよい。
【００２７】
【発明の効果】
この発明のエレベータのかご上手摺においては、上梁上にかごガイド装置を有するエレベータのかごに装着されるかご上手摺であって、かご室の両側部に垂直に配設された両縦枠の上端部間に架設された上梁とかご室との間に設けられた手摺横枠を有する。そのため、かご上手摺によって囲われる作業スペースを広くすることができ、また、かご上手摺を安価に作製することができる。
【図面の簡単な説明】
【図１】この発明の実施の形態１のエレベータのかご上手摺をかご枠に装着した状態を示す側面図である。
【図２】この発明の実施の形態１のエレベータのかご上手摺を示す平面図である。
【図３】この発明の実施の形態１のエレベータのかご上手摺を示す側面図である。
【図４】図２のかごガイド装置近傍の拡大図である。
【図５】図３のかごガイド装置近傍の拡大図である。
【図６】かごガイド装置の案内部材と支持部材の正面図である。
【図７】従来のかご上手摺を示す平面図である。
【図８】従来のかご上手摺を示す側面図である。
【図９】この発明の実施の形態２のエレベータのかご上手摺を示す要部側面図である。
【図１０】この発明の実施の形態３のエレベータのかご上手摺を示す要部側面図である。
【図１１】この発明の実施の形態４のエレベータのかご上手摺を示す要部側面図である。
【図１２】この発明の実施の形態５のエレベータのかご上手摺を示す平面図である。
【図１３】この発明の実施の形態５のエレベータのかご上手摺を示す側面図である。
【図１４】この発明の実施の形態６のエレベータのかご上手摺を示す平面図である。
【図１５】この発明の実施の形態６のエレベータのかご上手摺を示す側面図である。
【符号の説明】
２  縦枠、３  上梁、４  下梁、５  かご床、６  かご室、２０  かごガイド装置、３０，４０，５０，６０，７０，８０  かご上手摺、３１，４１，５１  第１の手摺横枠（手摺横枠）、３２，４２，５２  第２の手摺横枠（手摺横枠）、８１  包囲板。
【図１】
2004217402.tif 000003
【図２】
2004217402.tif 000004
【図３】
2004217402.tif 000005
【図４】
2004217402.tif 000006
【図５】
2004217402.tif 000007
【図６】
2004217402.tif 000008
【図７】
2004217402.tif 000009
【図８】
2004217402.tif 000010
【図９】
2004217402.tif 000011
【図１０】
2004217402.tif 000012
【図１１】
2004217402.tif 000013
【図１２】
2004217402.tif 000014
【図１３】
2004217402.tif 000015
【図１４】
2004217402.tif 000016
【図１５】
2004217402.tif 000017